(57)【要約】【課題】  印刷による刷り合せの際、隙間や重なり合いによる潜像画像への影響の一つである刷り合せずれを緩和する真偽判別可能な印刷物を提供する。【解決手段】  第１の模様と、第１の模様の周囲に配置された第２の模様を有した階調画像は、どちらか一方が機能性を有するインキで形成され、第１の模様が潜像領域と第１の輪郭領域、第２の模様が背景領域と第２の輪郭領域を有し、潜像領域と背景領域は重複せず、第１の輪郭領域と第２の輪郭領域は同じ位置に配置されて輪郭領域が形成、第１の輪郭領域は潜像領域から背景領域に向かって濃度が徐々に低く又は高くなるように濃度変化し、第２の輪郭領域は背景領域から潜像領域に向かって濃度が徐々に低く又は高くなるように濃度変化し、潜像領域と潜像領域と隣り合う輪郭領域は濃度が等しく、背景領域と背景領域と隣り合う輪郭領域は濃度が等しい。【選択図】  図１０
2019084691.tif 000002
【特許請求の範囲】
【請求項１】
基材上の少なくとも一部に、階調画像を備え、
前記階調画像は、第１の模様と、前記第１の模様の周囲に配置された第２の模様を有し、前記第１の模様と前記第２の模様は、どちらか一方が機能性を有したインキで形成されて成り、かつ、拡散反射光下において等色であり、
前記第１の模様は潜像領域と第１の輪郭領域を有し、前記第２の模様は背景領域と第２の輪郭領域を有し、前記潜像領域と前記背景領域は、重複することなく形成されて成り、前記第１の輪郭領域と前記第２の輪郭領域は、同じ位置に配置されることで輪郭領域が形成されて成り、
前記第１の輪郭領域は、前記潜像領域から前記背景領域に向かって、濃度が徐々に低く又は高くなるように濃度変化して成り、前記第２の輪郭領域は、前記背景領域から前記潜像領域に向かって、前記濃度変化に対応して、濃度が徐々に低く又は高くなり、
前記潜像領域と、前記潜像領域と隣り合う前記輪郭領域は、所定範囲内の濃度が等しく、前記背景領域と、前記背景領域と隣り合う前記輪郭領域は、所定範囲内の濃度が等しく、
所定の条件で観察した場合に、前記第１の模様が視認できることを特徴とする真偽判別可能な印刷物。
【請求項２】
前記第１の模様は第１の要素が複数配列されて成り、前記第２の模様は第２の要素が複数配列されて成り、前記輪郭領域における前記第１の要素と前記第２の要素は、重複して又は重複することなく形成されていることを特徴とする請求項１記載の真偽判別可能な印刷物。
【請求項３】
前記第１の輪郭領域と前記第２の輪郭領域は、輪郭幅が等しいことを特徴とする請求項１又は２記載の真偽判別可能な印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、ハイライトからシャドウまでの濃度の段階（階調）を有する印刷物内に潜像画像が埋め込まれた真偽判別可能な印刷物に関わるものである。
【背景技術】
【０００２】
近年のスキャナ、プリンタ、カラーコピー機等のデジタル機器の進展により、貴重印刷物の精巧な複製物を容易に作製することが可能となっている。そのため、前述したような複製や偽造を防止するため、プリンタやコピー機では再現不可能な様々な偽造防止技術が必要とされている。
【０００３】
銀行券、株券、債券等の有価証券、各種証明書及び重要書類等の印刷物において、偽造、変造防止策は重要である。したがって、印刷物の印刷面は偽造、変造防止策を施す余地のある、極めて細密な画線によって図柄を構成している。この細密な画線で偽造、変造防止策を施す技術としては、細線を用いた方法、微小文字や特殊形状の網点（以下「特殊形状網点」という。）等の微細構成素子を用いた方法等がある。また、特殊な機能を有するインキを用いた偽造、変造防止策を施す技術としては、ペアインキを用いた条件等色の印刷物等がある。
【０００４】
細線を用いた方法の代表的な技術として、地紋、彩紋模様、レリーフ模様等があり、基本的に一定の画線幅による曲画線の集合によって模様を構成しているものである。これらの模様は印刷物のデザイン等の意匠性を加味し、偽造、変造防止策を施すことができ、模様を複雑にすることによって偽造物における同一の模様を作製しようとするのを困難とし、写真製版装置による抽出又は複写機では再現されにくい色彩を用いたり、複雑な曲画線にして複写機及びスキャナの走査入出力に対するモアレを発生させたりすることで偽造防止策としての役割を高めている。
【０００５】
また、模様類は証券印刷物等のデザインにおいて世界的に広く用いられていると同時に、銀行券、株券、債券等の金銭的価値を有する印刷物の模様として古くから用いられていたことにより、現在でも一般的に高級感を印象付けるデザインとして重要な模様となっている。したがって、銀行券、株券、債券等の有価証券、各種証明書及び重要書類等の印刷物において、細線により構成された図形はデザイン上欠かすことのできない模様となっている。
【０００６】
微細構成素子を用いた方法の代表的な技術として、微細構成素子を微小文字とした方法がある。微小文字における偽造、変造防止策は、模様を細密、かつ、複雑にすることによって偽造物における同一の模様を作製しようとするのを困難とし、写真製版装置による抽出又は複写機では再現されにくい色彩を用いたりすることで偽造防止策として役割を高めている。さらに、印刷面上を数多くの微小文字で構成することによって、偽造、変造防止に有効な地紋模様を形成することができると同時に、印刷物製品に必須とする文章情報を大量に施すことができる。また、一般の人が市場流通過程において拡大鏡等による観察によって、微小文字の文言及び形状が真正なものであるか否かを簡単に識別できる方法であるため、微小文字は証券印刷物等のデザインにおいて世界的に広く用いられていると同時に、銀行券、株券、債券等の金銭的価値を有する印刷物の模様として古くから用いられ、現在でも一般的に高級感を印象付けるデザインとして重要な模様となっており、銀行券、株券、債券等の有価証券、各種証明書及び重要書類等の印刷物において、微小文字はデザイン上欠かすことのできない模様となっている。
【０００７】
また、特殊形状網点の微細構成素子を用いた方法としては、商標、家紋、シンボルマーク、文字等の意匠性を有するスクリーン形状が、関数で得られた図形によって生成することができる特殊形状網点が開示されている（例えば、特許文献１参照）。特殊形状網点の集合は、連続階調画像として、銀行券や有価証券等に適用して偽造防止及び改ざん防止となり、又は意匠性が要望される印刷分野においても、著しくその応用分野を拡大利用することができるものである。また、特殊形状網点は、複写機等で再現不可能であるため、偽造、変造防止に有効な手段である。
【０００８】
ペアインキを用いた条件等色の印刷物としては、機能性を有するインキと、機能性を有するインキと所定の条件で等色の機能性を有さないインキを使用して、基材上に印刷した印刷物を可視反射光下で観察した場合、機能性を有するインキと機能性を有さないインキの色彩が等色に視認され、可視反射光下以外の所定の条件で観察した場合、機能性を有するインキと機能性を有さないインキの色彩等が異なり潜像画像が視認される技術が開示されている（例えば、特許文献２参照）。
【０００９】
また、印刷物を可視反射光下で観察した画像と、可視透過光下で観察した場合とで、異なる画像が潜像画像として視認されることで真偽判別が可能な印刷物が開示されている（例えば、特許文献３参照）。この印刷物は、特殊な光源、フィルタ等、特別な道具を用いる必要がなく、市販されている浸透型インキを単に印刷するだけでは形成不能であり、これを形成するに当たっては、浸透成分と色材を適正な配合割合で混ぜ合わせ、可視反射光下では視認可能な色彩を有して観察されるが、可視透過光下では不可視となるか、若しくは視認し難い極めて淡い色彩へと変化する光学特性を有する第２のインキを作製する必要があり、そのためにはインキ製造のための技能と設備が必要であり、容易に偽造することは不可能な印刷物となり得る。
【００１０】
ここで、特許文献１の特殊形状網点印刷物の技術と、特許文献２又は特許文献３等ペアインキを用いた印刷物の技術を組み合わせ、印刷による刷り合せがずれたときの緩和をする真偽判別可能な印刷物を考えてみる。図１（ａ）に示すように、基材１´上の少なくとも一部に、階調画像２´が形成される。図１（ｂ）に示すように、階調画像２´は、機能性を有するインキで形成された第１の模様３´と、図１（ｃ）に示すように、第１の模様３´の周囲に配置され機能性を有さないインキで形成された第２の模様４´を有し、第１の模様３´と第２の模様４´は、拡散反射光下において等色で印刷される。
【００１１】
図１に示した真偽判別可能な印刷物は、基材１´上の少なくとも一部に、階調画像２´を備え、階調画像２´は、機能性を有するインキで形成された第１の模様３´と、第１の模様３´の周囲に配置され機能性を有さないインキで形成された第２の模様４´を有する構成となっている。階調画像２´は、特殊形状網点で形成された連続階調の「グラデーション」であり、第１の模様３´は、特殊形状網点で形成された連続階調の「グラデーション」から「ＣＯＰＹ」の文字の形状で切り抜いた領域から成り、第２の模様４´は、特殊形状網点で形成された連続階調の「グラデーション」から「ＣＯＰＹ」の文字の形状を切り抜いた領域から成る。すなわち、第２の模様４´の切り抜いた「ＣＯＰＹ」の文字は、第１の模様３´の切り抜いた「ＣＯＰＹ」の文字を示し、第１の模様３´と第２の模様４´を刷り合わせると階調画像２´の特殊形状網点で形成された連続階調の「グラデーション」となる。しかし、印刷による刷り合せがずれたとき、第１の模様３´と第２の模様４´の間に隙間ができ、基材１´が視認されたり、第１の模様３´と第２の模様４´が重なり合い、第１の模様３´を潜像画像とした場合、潜像文字の「ＣＯＰＹ」が視認されたりする。
【００１２】
図２は、図１に示した従来の真偽判別可能な印刷物の観察条件の一例を示す図である。図２（ａ）は、可視光下で拡散光での観察状態であり、階調画像２´に対する可視反射光７´と観察者の視点８´が図２（ａ）に示すような位置関係、いわゆる、可視反射光下での観察において、観察者には、階調画像２´が視認される。これは、可視反射光下での観察において、機能性を有するインキを使用した第１の模様３´は、はっきりと視認される色彩を有した画像を形成し、機能性を有さないインキで形成された第２の模様４´は、機能性を有するインキと等色に視認される色濃度を有する画像を形成させるため、図１（ａ）に示す階調画像２´が視認される。
【００１３】
また、図２（ｂ）に示すように、階調画像２´に対して、可視反射光７´以外の所定の条件と視認用機器等９´を通した観察者の視点８´が図２（ｂ）に示すような位置関係、いわゆる、可視反射光下での観察において、観察者には、図１（ｂ）に示す第１の模様３´のみが視認され潜像画像となる。これは、可視反射光下での観察において、機能性を有するインキを使用した第１の模様３´は、視認用機器等では、はっきりと視認される画像を形成し、機能性を有さないインキを使用した第２の模様４´は、視認用機器等では、透過し不可視か、ほとんど視認し難い程度で視認されるためである。
【００１４】
図３は、図１（ａ）に示された階調画像２´の特殊形状網点で形成された連続階調の「グラデーション」を一般的なドット形状で形成された連続階調の「グラデーション」で示した図である。以下の図面においては、一般的なドット形状での説明とする。なお、階調画像２´の形状は、階調画像であれば特に限定されるものではない。
【００１５】
図３に示した真偽判別可能な印刷物は、基材１´上の少なくとも一部に、階調画像２´を備え、階調画像２´は、機能性を有するインキで形成された第１の模様３´と、第１の模様３´の周囲に配置され機能性を有さないインキで形成された第２の模様４´を有する構成となっている。階調画像２´は、一般的なドット形状で形成された連続階調の「グラデーション」であり、第１の模様３´は、一般的なドット形状で形成された連続階調の「グラデーション」から「ＣＯＰＹ」の文字の形状で切り抜いた領域から成り、第２の模様４´は、一般的なドット形状で形成された連続階調の「グラデーション」から「ＣＯＰＹ」の文字の形状を切り抜いた領域から成る。すなわち、第２の模様４´の切り抜いた「ＣＯＰＹ」の文字は、第１の模様３´の切り抜いた「ＣＯＰＹ」の文字を示し、第１の模様３´と第２の模様４´を刷り合わせると階調画像２´の一般的なドット形状で形成された連続階調の「グラデーション」となる。しかし、印刷による刷り合せずれが発生したとき、第１の模様３´と第２の模様４´の間に隙間ができ、基材１´が視認されたり、第１の模様３´と第２の模様４´が重なり合い、第１の模様３´を潜像画像とした場合、潜像文字の「ＣＯＰＹ」が視認されることになる。
【００１６】
図４は、図３に示した階調画像２´の階調の濃度変化（濃度の高低）をグラフ化したものである。図３（ｂ）の第１の模様３´の一部をグラフ化したものが図４（ａ）である。また、図３（ｃ）の第２の模様４´の一部をグラフ化したものが図４（ｂ）である。図４（ａ）に示す第１の模様３´は、網点面積率Ｙが５０％相当で任意の距離Ｘを成す角度Ｋ１´（９０度）で形成されている。図４（ｂ）に示す第２の模様４´は、網点面積率Ｙが５０％相当で任意の距離Ｘを成す角度Ｋ２´（９０度）で形成されている。図４（ａ）に示す第１の模様３´と、図４（ｂ）に示す第２の模様４´を刷り合わせると、図４（ｃ１）を示し、図３（ａ）に示す階調画像２´となる。また、機能性を有するインキで形成された第１の模様３´と、第１の模様３´の周囲に配置され機能性を有さないインキで形成された第２の模様４´は、拡散反射光下において等色のため、潜像画像である第１の模様３´は視認されない。図４（ｃ２）は、第２の模様４´が刷り合せずれにより任意の距離Ｘ´右に移動したとき、隙間５´ができ、基材１´が視認されることを示す。図４（ｃ３）は、第２の模様４´が刷り合せずれにより任意の距離Ｘ´´左に移動したとき、重なり合い６´ができ階調画像２´の一部の濃度が高くなることを示す。
【００１７】
図５は、図４に示した階調の濃度変化（濃度の高低）をグラフ化したものを一般的なドット形状で形成された連続階調の「グラデーション」で示したものである。図５（ａ）は、図４（ｃ１）を示し、図３（ａ）の階調画像２´と同等である。図５（ａ）に示す第１の模様３´は、白点線「ＣＯＰＹ」の文字で示され視認できるが、機能性を有するインキで形成された第１の模様３´と、第１の模様３´の周囲に配置され機能性を有さないインキで形成された第２の模様４´は、拡散反射光下において等色のため、潜像画像である第１の模様３´は視認されない。図５（ｂ）は、図４（ｃ２）を示す。図５（ｂ）に示す第２の模様４´が刷り合せずれにより任意の距離Ｘ´右に移動したとき、隙間５´ができ基材１´が視認されてしまうことに加え、潜像画像である第１の模様３´が視認されてしまう。図５（ｃ）は、図４（ｃ３）を示す。図５（ｃ）に示す第２の模様４´が刷り合せずれにより任意の距離Ｘ´´左に移動したとき、重なり合い６´ができ階調画像２´の一部の濃度が高くなってしまうことに加え、潜像画像である第１の模様３´が視認されてしまう。すなわち、図４（ａ）及び図４（ｂ）が示す、網点面積率Ｙが５０％相当で任意の距離Ｘを成す角度Ｋ１´（９０度）及び角度Ｋ２´（９０度）で形成されているように、網点面積率Ｙの５０％相当が任意の距離Ｘで網点面積率Ｙが０％になるように形成されると、刷り合せの左右のずれにより潜像画像である第１の模様３´が視認されてしまう。
【００１８】
図６（ａ）は、図５（ａ）の階調画像２´と同等である。図６（ｂ）に示す第１の模様３´である「ＣＯＰＹ」の文字の一部「Ｏ」を拡大し、図５で説明した隙間５´と、重なり合い６´について説明をする。図６（ｂ）に示す第１の模様３´が刷り合せずれにより任意の距離Ｘ´´´左下に移動したとき、拡大図に示す隙間５´と重なり合い６´が発生し、隙間５´により基材１´が視認されるのと、重なり合い６´により階調画像２´の一部の濃度が高くなることが同時に発生することになり、潜像画像である第１の模様３´の文字「ＣＯＰＹ」が視認される。本来、第１の模様３´と第２の模様４´は等色のため、潜像画像である第１の模様３´は視認されないが、刷り合せずれが起こることで潜像画像が視認されることになる。
【００１９】
図７は、図３に示した階調画像２´において刷り合せずれを解消するための方法（一般的な印刷で行う方法）の一つとして、第１の模様３´にオーバーラップ（拡張画像）を加えての階調の濃度変化をグラフ化したものである。図７（ａ）は、図４（ａ）に示す第１の模様３´で形成された、網点面積率Ｙが５０％相当で任意の距離Ｘを成す角度Ｋ１´（９０度）にオーバーラップである第１の模様３´´を加えて形成されている。図７（ｂ）に示す第２の模様４´は、網点面積率Ｙが５０％相当で任意の距離Ｘを成す角度Ｋ２´（９０度）で形成されている。図７（ａ）に示す第１の模様３´及び第１の模様３´´と、図７（ｂ）に示す第２の模様４´を刷り合わせると、図７（ｃ１）を示す。図７（ｃ１）が示すように図４（ｃ１）とは異なり、最初から重なり合い６´があり階調画像２´の一部の濃度が高くなっている。それは、図４（ｃ２）で説明した刷り合せずれにより隙間５´をなくすためである。等色により潜像画像である第１の模様３´を視認させないこの技術以外の一般的な印刷では、刷り合せずれにより隙間５´ができ、基材１´（例えば、白い用紙）が視認されるよりは、多少、階調の一部の濃度が高くなる方が目立たないため、オーバーラップ（拡張画像）を行っている。しかし、等色により潜像画像である第１の模様３´を視認させないこの技術においては、刷り合せずれを解消するための方法としては向いていないが、一例として示している。図７（ｃ２）は、第２の模様４´が刷り合せずれにより任意の距離Ｘ´右に移動したときでも隙間５´はできず、図７（ｃ１）でできる重なり合い６´よりは少ない重なり合い６´ができる。図７（ｃ３）は、第２の模様４´が刷り合せずれにより任意の距離Ｘ´´左に移動したときでも、隙間５´はできず図７（ｃ１）でできる重なり合い６´よりは大きい重なり合い６´ができる。
【００２０】
図８は、図７に示した階調の濃度変化をグラフ化したものを一般的なドット形状で形成された連続階調の「グラデーション」で示す。図８（ａ）は、図７（ｃ１）を示し、図５（ａ）とは異なり、最初から重なり合い６´があり階調画像２´の一部の濃度が高くなり、本来、潜像画像である第１の模様３´は視認されないはずが視認されている。それは、図４（ｃ２）で説明した刷り合せずれにより隙間５´をなくすためである。等色により潜像画像である第１の模様３´を視認させないこの技術以外の一般的な印刷では、刷り合せずれにより隙間５´ができ、基材１´（例えば、白い用紙）が視認されるよりは、多少、階調の一部の濃度が高くなる方が目立たないため、オーバーラップを行っている。しかし、等色により潜像画像である第１の模様３´を視認させないこの技術においては、刷り合せずれを解消するための方法としては向いていないが、一例として示している。図８（ｂ）は、図７（ｃ２）を示す。図８（ｂ）に示す第２の模様４´が刷り合せずれにより任意の距離Ｘ´右に移動したときでも隙間５´はできず、図７（ｃ１）でできる重なり合い６´よりは少ない重なり合い６´ができ、潜像画像である第１の模様３´が視認されている。図８（ｃ）は、図７（ｃ３）を示す。図８（ｃ）に示す第２の模様４´が刷り合せずれにより任意の距離Ｘ´´左に移動したときでも隙間５´はできず、図７（ｃ１）でできる重なり合い６´よりは大きい重なり合い６´ができ、潜像画像である第１の模様３´が視認されている。すなわち、図７（ａ）が示す、図４（ａ）に示す第１の模様３´で形成された、網点面積率Ｙが５０％相当で任意の距離Ｘを成す角度Ｋ１´（９０度）にオーバーラップである第１の模様３´´を加えて形成され、また、図７（ｂ）が示す、網点面積率Ｙが５０％相当で任意の距離Ｘを成す角度Ｋ２´（９０度）で形成されているように、網点面積率Ｙの５０％相当が任意の距離Ｘで網点面積率Ｙが０％になるように形成されると、刷り合せの左右のずれにより重なり合い６´の大きさは異なるにしろ、潜像画像である第１の模様３´が視認されてしまう。
【００２１】
図９（ａ）は、図８（ａ）の階調画像２´と同等である。図９（ｂ）に示す第１の模様３´である「ＣＯＰＹ」の文字の一部「Ｏ」を拡大し、図８で説明した重なり合い６´について説明をする。図９（ｂ）に示す第１の模様３´が刷り合せずれにより任意の距離Ｘ´´´左下に移動したとき、拡大図に示す重なり合い６´が発生し、重なり合い６´の重なる度合いが異なるにしろ階調画像２´の一部の濃度が高くなることが同時に発生することになり、潜像画像である第１の模様３´の文字「ＣＯＰＹ」が視認される。図９（ａ）が示すように図６（ａ）とは異なり、最初から重なり合い６´があり階調画像２´の一部の濃度が高くなり、本来、潜像画像である第１の模様３´は視認されないはずが視認されている。それは、図４（ｃ２）で説明した刷り合せずれによる隙間５´をなくすためである。等色により潜像画像である第１の模様３´を視認させないこの技術以外の一般的な印刷では、刷り合せずれにより隙間５´ができ、基材１´（例えば、白い用紙）が視認されるよりは、多少、階調の一部の濃度が高くなる方が目立たないため、オーバーラップを行っている。しかし、等色により潜像画像である第１の模様３´を視認させないこの技術においては、刷り合せずれを解消するための方法としては向いていないが、一例として示している。
【先行技術文献】
【特許文献】
【００２２】
【特許文献１】特許第３８５５０１３号公報
【特許文献２】特公昭６１−３７６３６号公報
【特許文献３】特開２０１４−３０９５２号公報
【発明の概要】
【発明が解決しようとする課題】
【００２３】
上述したとおり、図１に示した真偽判別可能な印刷物は、階調画像２´の連続階調の「グラデーション」から単純に第１の模様３´から成る「ＣＯＰＹ」の文字の形状で切り抜いた領域と、第２の模様４´から成る「ＣＯＰＹ」の文字の形状を切り抜いた領域から形成されているため、図５で説明したように、印刷による刷り合せがずれたとき、第１の模様３´と第２の模様４´の間に隙間５´ができ、基材１´が視認されたり、第１の模様３´と第２の模様４´とで重なり合い６´が発生し第１の模様３´を潜像画像とした場合、潜像文字の「ＣＯＰＹ」の文字が視認されたりする問題があった。
【００２４】
本発明は、上述した課題の解決を目的とするものであり、印刷による刷り合せがずれたとき、隙間や重なり合いによる潜像画像が視認されない、といった刷り合せずれを緩和する真偽判別可能な印刷物を提供することを目的とする。
【課題を解決するための手段】
【００２５】
基材上の少なくとも一部に、階調画像を備え、階調画像は、第１の模様と、前記第１の模様の周囲に配置された第２の模様を有し、前記第１の模様と前記第２の模様は、どちらか一方が機能性を有したインキで形成されて成り、かつ、拡散反射光下において等色であり、第１の模様は潜像領域と第１の輪郭領域を有し、第２の模様は背景領域と第２の輪郭領域を有し、潜像領域と背景領域は、重複することなく形成されて成り、第１の輪郭領域と第２の輪郭領域は、同じ位置に配置されることで輪郭領域が形成されて成り、第１の輪郭領域は、潜像領域から背景領域に向かって、濃度が徐々に低く又は高くなるように濃度変化して成り、第２の輪郭領域は、背景領域から潜像領域に向かって、濃度変化に対応して、濃度が徐々に低く又は高くなり、潜像領域と、潜像領域と隣り合う輪郭領域は、所定範囲内の濃度が等しく、背景領域と、背景領域と隣り合う輪郭領域は、所定範囲内の濃度が等しく、所定の条件で観察した場合に、第１の模様が視認できることを特徴とする。
【００２６】
第１の模様は第１の要素が複数配列されて成り、第２の模様は第２の要素が複数配列されて成り、輪郭領域における第１の要素と第２の要素は、重複して又は重複することなく形成されていることを特徴とする。
【００２７】
第１の輪郭領域と第２の輪郭領域は、輪郭幅が等しいことを特徴とする。
【発明の効果】
【００２８】
本発明の真偽判別可能な印刷物においては、印刷による刷り合せがずれたときでも、隙間による基材の視認や重なり合いによる濃度の高低差もなく、潜像画像が視認されない刷り合せずれの緩和をする印刷物となる。
【００２９】
本発明の真偽判別可能な印刷物においては、印刷機による刷り合せずれ精度（ずれの距離が大きいのか、ずれの距離が小さいのか）に合わせた輪郭領域の調整により潜像画像の鮮明さを調整することのできる印刷物となる。
【００３０】
本発明の真偽判別可能な印刷物においては、第１の模様と第２の模様に使用するペアインキの機能性により、可視反射光下で観察される画像と、可視反射光下以外の所定の条件で観察される潜像画像とを、全く相関のない画像とすることが可能であるため、容易に真偽判別することができる。
【００３１】
本発明の真偽判別可能な印刷物においては、生産性の高い印刷方式であるオフセット印刷で製造可能であることからコストパフォーマンスに優れ、また、最新のデジタル機器を用いたとしても潜像画像の輪郭領域の再現は不可能であることから、偽造防止効果に優れている。
【図面の簡単な説明】
【００３２】
【図１】従来の真偽判別可能な印刷物を特殊形状網点で形成された連続階調の「グラデーション」で示す図である。
【図２】従来の真偽判別可能な印刷物の観察条件の一例を示す図である。
【図３】従来の真偽判別可能な印刷物を一般的なドット形状で形成された連続階調の「グラデーション」で示す図である。
【図４】階調画像２´の階調の濃度変化をグラフ化したものと、任意の距離Ｘ移動したときの状態を示す図である。
【図５】一般的なドット形状で形成された連続階調の「グラデーション」と、任意の距離Ｘ移動したときの状態を示す図である。
【図６】一般的なドット形状で形成された連続階調の「グラデーション」と、任意の距離Ｘ移動したときの状態を示す図である。
【図７】階調画像２´の階調の濃度変化をグラフ化したものと、任意の距離Ｘ移動したときの状態を示す図である。
【図８】一般的なドット形状で形成された連続階調の「グラデーション」にオーバーラップを加えたのと、任意の距離Ｘ移動したときの状態を示す図である。
【図９】一般的なドット形状で形成された連続階調の「グラデーション」にオーバーラップを加えたのと、任意の距離Ｘ移動したときの状態を示す図である。
【図１０】本発明の真偽判別可能な印刷物を一般的なドット形状で形成された連続階調の「グラデーション」で示す図である。
【図１１】第１の模様３が形成する第１の輪郭領域と網点の配置位置を示す図である。
【図１２】第２の模様４が形成する第２の輪郭領域と網点の配置位置を示す図である。
【図１３】第１の模様３が形成する第１の輪郭領域と網点の配置位置を示す図である。
【図１４】第２の模様４が形成する第２の輪郭領域と網点の配置位置を示す図である。
【図１５】第１の要素と第２の要素の刷り合せの組合せを示す図である。
【図１６】第１の輪郭領域と第２の輪郭領域における潜像画像の鮮明さを示す図である。
【図１７】従来の第１の模様３´と本発明の第１の模様３を比較した場合の図柄「オスの円」による構成図を示す図である。
【図１８】従来の第２の模様４´と本発明の第２の模様４を比較した場合の図柄「メスの円」による構成図を示す図である。
【図１９】第１の模様と、第２の模様を刷り合わせたときの構成図をグラフ化したものを示す図である。
【図２０】第１の模様と、第２の模様を刷り合わせたときの構成図をグラフ化したものと、任意の距離Ｘ移動したときの状態を示す図である。
【図２１】第１の模様と、第２の模様を刷り合わせたときの構成図をグラフ化したものと、任意の距離Ｘ移動したときの状態を示す図である。
【図２２】輪郭領域が開始する位置と、軟調及び硬調の違いにおける刷り合せずれによる交点Ｍの状況を示す図である。
【図２３】輪郭領域が開始する位置と、軟調及び硬調の違いにおける刷り合せずれによる交点Ｍの状況を示す図である。
【図２４】輪郭領域が開始する位置と、軟調及び硬調の違いにおける刷り合せずれによる交点Ｍの状況を示す図である。
【図２５】輪郭領域が開始する位置と、軟調及び硬調の違いにおける刷り合せずれによる交点Ｍの状況をまとめたものを示す図である。
【図２６】本発明をより具体的な階調画像で示す図である。
【図２７】本発明をより具体的な階調画像で示す図である。
【図２８】従来の第１の模様３´と本発明の第１の模様３の硬調又は軟調をより具体的に示す図である。
【図２９】従来の第２の模様４´と本発明の第２の模様４の硬調又は軟調をより具体的に示す図である。
【図３０】輪郭領域の軟調及び硬調の組合せを示す図である。
【図３１】階調画像の一例を示す図である。
【発明を実施するための形態】
【００３３】
本発明の実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００３４】
（実施の形態１）
図１０（ａ）に示した真偽判別可能な印刷物は、基材１上の少なくとも一部に、階調画像２を備え、階調画像２は、機能性を有するインキで形成された図１０（ｂ）が示す第１の模様３と、第１の模様３の周囲に配置され機能性を有さないインキで形成された図１０（ｃ）が示す第２の模様４を有し、第１の模様３と第２の模様４は、拡散反射光下において等色である。
【００３５】
なお、本実施の形態においては、第１の模様３が機能性を有するインキで形成されて成り、第２の模様４が機能性を有さないインキで形成されて成る構成で説明するが、この限りではなく、第１の模様３が機能性を有さないインキで形成されて成り、第２の模様４が機能性を有するインキで形成されて成る構成でも構わない。
【００３６】
階調画像２は、一般的なドット形状で形成された連続階調の「グラデーション」であり、第１の模様３は、一般的なドット形状で形成された連続階調の「グラデーション」から「ＣＯＰＹ」の文字の形状で切り抜いた領域から成り、第２の模様４は、一般的なドット形状で形成された連続階調の「グラデーション」から「ＣＯＰＹ」の文字の形状を切り抜いた領域から成る。すなわち、第２の模様４の切り抜いた「ＣＯＰＹ」の文字は、第１の模様３を切り抜いた「ＣＯＰＹ」の文字を示し、第１の模様３と第２の模様４を刷り合わせると階調画像２のドット形状で形成された連続階調の「グラデーション」となる。
【００３７】
第１の模様３は潜像領域３Ｚａと第１の輪郭領域３Ｒａを有し、第２の模様４は背景領域４Ｈａと第２の輪郭領域４Ｒａを有し、潜像領域３Ｚａと背景領域４Ｈａは、重複することなく形成されて成る。また、第１の輪郭領域３Ｒａと第２の輪郭領域４Ｒａは、同じ位置に配置されることで輪郭領域が形成されて成り、第１の輪郭領域３Ｒａは、潜像領域３Ｚａから背景領域４Ｈａに向かって、濃度が徐々に低くなるように濃度変化して成り、第２の輪郭領域４Ｒａは、背景領域４Ｈａから潜像領域３Ｚａに向かって、濃度変化に対応して、濃度が徐々に低くなる。さらに、潜像領域３Ｚａと、潜像領域３Ｚａと隣り合う輪郭領域は、所定範囲内の濃度が等しく、かつ、背景領域４Ｈａと、背景領域４Ｈａと隣り合う輪郭領域は、所定範囲内の濃度が等しい。このような印刷物を所定の条件で観察した場合に、第１の模様３が視認できる。また、階調画像２は、階調画像であれば、一般的なドット形状又は特殊形状網点のドット形状に限るものではない。
【００３８】
図１０の本発明の真偽判別可能な印刷物の観察条件の一例を図２（ａ）に示す。可視反射光下での観察において、観察者には、階調画像２が視認される。これは、可視反射光下での観察において、機能性を有するインキを使用した第１の模様３は、はっきりと視認される色彩を有した画像を形成し、機能性を有さないインキで形成された第２の模様４は、機能性を有するインキと等色に視認される色濃度を有する画像を形成させるため、図１０（ａ）に示す階調画像２が視認される。
【００３９】
また、図２（ｂ）に示すように、可視反射光下での観察において、観察者には、図１０（ｂ）に示す第１の模様３のみが視認され、潜像画像となる。これは、可視反射光下での観察において、機能性を有するインキを使用した第１の模様３は、視認用機器等では、はっきりと視認される画像を形成し、機能性を有さないインキを使用した第２の模様４は、視認用機器等では、透過し不可視か、ほとんど視認し難い程度で視認されるためである。
【００４０】
図１１に、第１の模様３を形成する第１の輪郭領域３Ｒａを示す。図１１（ａ）は、図１０（ｂ）と同等であり、図１１（ｂ）は、図１１（ａ）に示す第１の模様３である「ＣＯＰＹ」の文字の一部「Ｏ」を拡大したものである。第１の輪郭領域３Ｒａについて説明する。図１１（ｂ）は、図１０で説明したように、第１の輪郭領域３Ｒａは、潜像領域３Ｚａから背景領域４Ｈａに向かって、濃度が徐々に低くなるように濃度変化して成る。また、第１の輪郭領域３Ｒａは、図１１（ｂ１）、（ｂ２）及び（ｂ３）が示すように、網点の変化がシャドウからハイライトのように濃度が徐々に低くなるように濃度変化して成る。さらに、図１１（ｂ１）、（ｂ２）及び（ｂ３）は、第１の要素３ａが複数配列されて成る。図１１（ｂ１）の第１の要素３ａは、９０％相当の網点面積率を示し、第１の輪郭領域３Ｒａにおいて複数配列されて成り、図１１（ｂ２）の第１の要素３ａは、５０％相当の網点面積率を示し、第１の輪郭領域３Ｒａにおいて複数配列されて成り、図１１（ｂ３）の第１の要素３ａは、１０％相当の網点面積率を示し、第１の輪郭領域３Ｒａにおいて複数配列されて成る。
【００４１】
図１２に、第２の模様４を形成する第２の輪郭領域４Ｒａを示す。図１２（ａ）は、図１０（ｃ）と同等であり、図１２（ｂ）は、図１２（ａ）に示す第２の模様４である「ＣＯＰＹ」の文字の一部「Ｏ」を拡大したものである。第２の輪郭領域４Ｒａについて説明する。図１２（ｂ）は、図１０で説明したように、第２の輪郭領域４Ｒａは、背景領域４Ｈａから潜像領域３Ｚａに向かって、濃度変化に対応して、濃度が徐々に低くなる。また、第２の輪郭領域４Ｒａは、図１２（ｂ１）、（ｂ２）及び（ｂ３）が示すように網点の変化がシャドウからハイライトのように濃度が徐々に低くなるように濃度変化して成る。さらに、図１２（ｂ１）、（ｂ２）及び（ｂ３）は、第２の要素４ａが複数配列されて成る。図１２（ｂ１）の第２の要素４ａは、９０％相当の網点面積率を示し、第２の輪郭領域４Ｒａにおいて複数配列されて成り、図１２（ｂ２）の第２の要素４ａは、５０％相当の網点面積率を示し、第２の輪郭領域４Ｒａにおいて複数配列されて成り、図１２（ｂ３）の第２の要素４ａは、１０％相当の網点面積率を示し、第２の輪郭領域４Ｒａにおいて複数配列されて成る。
【００４２】
図１３に、第１の模様３を形成する第１の輪郭領域３Ｒａを示す。図１３（ａ）は、図１０（ｂ）と同等であり、図１３（ｂ）は、図１３（ａ）に示す第１の模様３である「ＣＯＰＹ」の文字の一部「Ｏ」を拡大したものである。第１の輪郭領域３Ｒａについて説明する。図１３（ｂ）は、図１０で説明したように、第１の輪郭領域３Ｒａは、潜像領域３Ｚａから背景領域４Ｈａに向かって、濃度が徐々に低くなるように濃度変化して成る。また、第１の輪郭領域３Ｒａは、図１３（ｂ１）、（ｂ２）及び（ｂ３）が示すように、網点の変化がシャドウからハイライトのように濃度が徐々に低くなるように濃度変化して成る。さらに、図１３（ｂ１）、（ｂ２）及び（ｂ３）は、第１の要素３ａが複数配列されて成る。図１３（ｂ１）の第１の要素３ａは、図１１（ｂ１）の第１の要素３ａの配列とは異なる９０％相当の網点面積率を示し、第１の輪郭領域３Ｒａにおいて複数配列されて成り、図１３（ｂ２）の第１の要素３ａは、図１１（ｂ２）の第１の要素３ａの配列とは異なる５０％相当の網点面積率を示し、第１の輪郭領域３Ｒａにおいて複数配列されて成り、図１３（ｂ３）の第１の要素３ａは、図１１（ｂ３）の第１の要素３ａの配列とは異なる１０％相当の網点面積率を示し、第１の輪郭領域３Ｒａにおいて複数配列されて成る。
【００４３】
図１４に、第２の模様４を形成する第２の輪郭領域４Ｒａを示す。図１４（ａ）は、図１０（ｃ）と同等であり、図１４（ｂ）は、図１４（ａ）に示す第２の模様４である「ＣＯＰＹ」の文字の一部「Ｏ」を拡大したものである。第２の輪郭領域４Ｒａについて説明する。図１４（ｂ）は、図１０で説明したように、第２の輪郭領域４Ｒａは、背景領域４Ｈａから潜像領域３Ｚａに向かって、濃度変化に対応して、濃度が徐々に低くなる。また、第２の輪郭領域４Ｒａは、図１４（ｂ１）、（ｂ２）及び（ｂ３）が示すように、網点の変化がシャドウからハイライトのように濃度が徐々に低くなるように濃度変化して成る。さらに、図１４（ｂ１）、（ｂ２）及び（ｂ３）は、第２の要素４ａが複数配列されて成る。図１４（ｂ１）の第２の要素４ａは、図１２（ｂ１）の第２の要素４ａの配列とは異なる９０％相当の網点面積率を示し、第２の輪郭領域４Ｒａにおいて複数配列されて成り、図１４（ｂ２）の第２の要素４ａは、図１２（ｂ２）の第２の要素４ａの配列とは異なる５０％相当の網点面積率を示し、第２の輪郭領域４Ｒａにおいて複数配列されて成り、図１４（ｂ３）の第２の要素４ａは、図１２（ｂ３）の第２の要素４ａの配列とは異なる１０％相当の網点面積率を示し、第２の輪郭領域４Ｒａにおいて複数配列されて成る。
【００４４】
図１５は、図１１から図１４までに示した５０％相当の網点面積率同士を刷り合わせたときの網点の状態を示す。刷り合せの組合せとしては、図１１と図１２の刷り合せと、図１３と図１４の刷り合せと、図１１と図１４の刷り合せと、図１３と図１２の刷り合せになる。
【００４５】
図１５（ａ）は、図１１（ｂ２）と図１２（ｂ２）が示す５０％相当の網点面積率を刷り合わせたときの網点の状態を示す。図１５（ａ１）が示す第１の要素３ａと図１５（ａ２）が示す第２の要素４ａを刷り合わせたとき、重複した図１５（ａ３）になる。
【００４６】
図１５（ｂ）は、図１３（ｂ２）と図１４（ｂ２）が示す５０％相当の網点面積率同士を刷り合わせたときの網点の状態を示す。図１５（ｂ１）が示す第１の要素３ａと図１５（ｂ２）が示す第２の要素４ａを刷り合わせたとき、重複した図１５（ｂ３）になる。
【００４７】
図１５（ｃ）は、図１１（ｂ２）と図１４（ｂ２）が示す５０％相当の網点面積率同士を刷り合わせたときの網点の状態を示すが、図１５（ａ）及び（ｂ）で示した刷り合せの形態とは異なり、図１５（ｃ１）と図１５（ｃ２）を刷り合わせるときは、両方の網点が刷り合わされたとき、５０％相当の網点面積率になるように図１５（ｃ１）と図１５（ｃ２）の網点を調整して、図１５（ｃ３）が示す５０％相当の網点面積率になるようにする。図１５（ｃ１）が示す第１の要素３ａと図１５（ｃ２）が示す第２の要素４ａを刷り合わせたとき、重複することなく図１５（ｃ３）になる。
【００４８】
図１５（ｄ）は、図１３（ｂ２）と図１２（ｂ２）が示す５０％相当の網点面積率同士を刷り合わせたときの網点の状態を示すが、図１５（ａ）及び（ｂ）で示した刷り合せの形態とは異なり、図１５（ｄ１）と図１５（ｄ２）を刷り合わせるときは、両方の網点が刷り合わされたとき、５０％相当の網点面積率になるように図１５（ｄ１）と図１５（ｄ２）の網点を調整して、図１５（ｄ３）が示す５０％相当の網点面積率になるようにする。図１５（ｄ１）が示す第１の要素３ａと図１５（ｄ２）が示す第２の要素４ａを刷り合わせたとき、重複することなく図１５（ｄ３）になる。
【００４９】
図１１から図１４までに示した第１の輪郭領域３Ｒａと第２の輪郭領域４Ｒａの９０％相当の網点面積率と１０％相当の網点面積率においても、図１５で説明したことが当てはまる。
【００５０】
図１６は、第１の輪郭領域と第２の輪郭領域における潜像画像の鮮明さを示す。図２（ｂ）で説明したように機能性を有するインキを使用した第１の模様３は、視認用機器等では、はっきりと視認される画像を形成する。そのはっきりと視認される潜像画像の鮮明さを示し、潜像画像が少しぼんやりとして不鮮明なものを「軟調」といい、潜像画像がはっきりとして鮮明なものを「硬調」という。例えば、潜像画像が文字の場合、輪郭領域が軟調だと、文字が少しぼんやりとして不鮮明で視認がしづらくなるため、文字がはっきりとして鮮明な輪郭領域を硬調なものにするとよい場合がある。その反面、潜像画像が絵柄などの模様の場合、その模様が、多少不鮮明又は鮮明であっても模様は模様として視認されるため、輪郭領域は軟調でも硬調でもよい場合がある。しかし、模様が細かい場合は、輪郭領域を硬調にした方がよい場合もある。すなわち、潜像画像として視認させたいものによって、輪郭領域を軟調又は硬調の使い分けをする。又は、印刷機による刷り合せずれ精度（ずれの距離が大きいのか、ずれの距離が小さいのか）によって、輪郭領域を軟調又は硬調の使い分けもする。これについては、後ほど詳細に説明をする。
【００５１】
図１６（ａ）に示すものが第１の輪郭領域及び／又は第２の輪郭領域を軟調にした場合である。また、図１６（ｂ）に示すものが第１の輪郭領域及び／又は第２の輪郭領域を硬調にした場合である。図１６（ａ）に示す一般的なドット形状で形成された連続階調１２の「グラデーション」は、１つの階調１０が示す網点面積率Ｙと任意の距離Ｘから成る網点面積率Ｙが０％から１００％相当に変調し、任意の距離Ｘを成す角度Ｋ１で形成されている。図１６（ａ）に示す第１の輪郭領域３Ｒｂ及び／又は第２の輪郭領域４Ｒｂは、輪郭領域を軟調にする際に使用する。図１６（ｂ）に示す一般的なドット形状で形成された連続階調１３の「グラデーション」は、１つの階調１１が示す網点面積率Ｙと任意の距離２分の１Ｘから成る網点面積率Ｙが０％から１００％相当に変調し、任意の距離Ｘを成す角度Ｋ２で形成されている。図１６（ｂ）に示す第１の輪郭領域３Ｒｃ及び／又は第２の輪郭領域４Ｒｃは、輪郭領域を硬調にする際に使用する。
【００５２】
図１６（ａ）、（ｂ）における軟調又は硬調の違いは、図１６（ａ）に示す１つの階調１０が示す網点面積率Ｙと任意の距離Ｘからも分かるように、第１の輪郭領域３Ｒｂ及び／又は第２の輪郭領域４Ｒｂの任意の距離Ｘが図１６（ｂ）に示す第１の輪郭領域３Ｒｃ及び／又は第２の輪郭領域４Ｒｃの任意の距離Ｘと比較すると任意の距離Ｘが長いことである。また、図１６（ｂ）に示す１つの階調１１が示す網点面積率Ｙと任意の距離２分の１Ｘからも分かるように、第１の輪郭領域３Ｒｃ及び／又は第２の輪郭領域４Ｒｃの任意の距離Ｘが図１６（ａ）に示す第１の輪郭領域３Ｒｂ及び／又は第２の輪郭領域４Ｒｂの任意の距離Ｘと比較すると任意の距離Ｘが短いことである。すなわち、軟調とは、第１の輪郭領域及び／又第２の輪郭領域が比較対象と比べたとき、任意の距離Ｘが長いことである。また、硬調とは、第１の輪郭領域及び／又第２の輪郭領域が比較対象と比べたとき、任意の距離Ｘが短いことである。さらに、軟調又は硬調における角度Ｋは、４５度を基準角として、角度Ｋが０度以上４５度未満の場合、軟調といい、角度Ｋが４５度以上９０度以下の場合、硬調という。
【００５３】
また、輪郭領域の階調画像は、階調画像であれば、一般的なドット形状又は特殊形状網点のドット形状に限るものではない。
【００５４】
図１７は、従来の第１の模様３´と本発明の第１の模様３を比較した場合の図柄「オスの円」による構成図を示している。図１７（ａ）は、従来の第１の模様３´の図柄「オスの円」による構成図を示している。図１７（ａ）に示す第１の模様３´の図柄「オスの円」は、網点面積率Ｙが８０％相当で任意の距離Ｘを成す角度Ｋ１´（９０度）で形成されている。
【００５５】
図１７（ｂ）は、本発明の第１の模様３の図柄「オスの円」による軟調の構成図を示している。図１７（ｂ）に示す第１の模様３の図柄「オスの円」は、網点面積率Ｙが８０％相当で任意の距離Ｘを成す角度Ｋ３及び角度Ｋ４で形成され、第１の模様３は潜像領域３Ｚｂと、第１の輪郭領域３Ｒｄ及び第１の輪郭領域３Ｒｅを有している。また、図柄「オスの円」の中心Ｔ１からの任意の距離Ｇ１を示す輪郭領域が開始する位置Ｓ１及び角度Ｋ３によって軟調であるか決定され、第１の輪郭領域３Ｒｄは、潜像領域３Ｚｂから背景領域４Ｈｂに向かって、濃度変化に対応して、濃度が徐々に低くなる。さらに、図柄「オスの円」の中心Ｔ１からの任意の距離Ｇ２を示す輪郭領域が開始する位置Ｓ２及び角度Ｋ４によって軟調であるか決定され、第１の輪郭領域３Ｒｅは、潜像領域３Ｚｂから背景領域４Ｈｂに向かって、濃度変化に対応して、濃度が徐々に低くなる。
【００５６】
しかし、図１７（ｂ）に示す第１の輪郭領域３Ｒｄ及び第１の輪郭領域３Ｒｅは、両方とも軟調を示しているが、片方が軟調でもう一方が硬調であっても構わない。図１７（ｂ）が示す交点Ｍ１は、第１の輪郭領域３Ｒｄと、図１８（ｂ）が示す第２の輪郭領域４Ｒｄとで刷り合わせたときの交点である。また、図１７（ｂ）が示す交点Ｍ２は、第１の輪郭領域３Ｒｅと、図１８（ｂ）が示す第２の輪郭領域４Ｒｅとで刷り合わせたときの交点である。この交点、交点Ｍ１及び交点Ｍ２が拡散反射光下において視認される。
【００５７】
図１７（ｃ）は、本発明の第１の模様３の図柄「オスの円」による硬調の構成図を示している。図１７（ｃ）に示す第１の模様３の図柄「オスの円」は、網点面積率Ｙが８０％相当で任意の距離Ｘを成す角度Ｋ５及び角度Ｋ６で形成され、第１の模様３は潜像領域３Ｚｃと、第１の輪郭領域３Ｒｆ及び第１の輪郭領域３Ｒｇを有している。また、図柄「オスの円」の中心Ｔ１からの任意の距離Ｇ３を示す輪郭領域が開始する位置Ｓ３及び角度Ｋ５によって硬調であるか決定され、第１の輪郭領域３Ｒｆは、潜像領域３Ｚｃから背景領域４Ｈｃに向かって、濃度変化に対応して、濃度が徐々に低くなる。さらに、図柄「オスの円」の中心Ｔ１からの任意の距離Ｇ４を示す輪郭領域が開始する位置Ｓ４及び角度Ｋ６によって硬調であるか決定され、第１の輪郭領域３Ｒｇは、潜像領域３Ｚｃから背景領域４Ｈｃに向かって、濃度変化に対応して、濃度が徐々に低くなる。
【００５８】
しかし、図１７（ｃ）が示す第１の輪郭領域３Ｒｆ及び第１の輪郭領域３Ｒｇは、両方とも硬調を示しているが、一方が硬調でもう一方が軟調であっても構わない。図１７（ｃ）が示す交点Ｍ１は、第１の輪郭領域３Ｒｆと、図１８（ｃ）が示す第２の輪郭領域４Ｒｆとで刷り合わせたときの交点である。また、図１７（ｃ）が示す交点Ｍ２は、第１の輪郭領域３Ｒｇと、図１８（ｃ）が示す第２の輪郭領域４Ｒｇとで刷り合わせたときの交点である。この交点、交点Ｍ１及び交点Ｍ２が拡散反射光下において視認される。
【００５９】
図１７（ｂ）及び（ｃ）が示す白い点線の第１の模様３´は、図１７（ａ）が示す第１の模様３´と同等で、図１７（ａ）が示す図柄「オスの円」を本発明でほぼ同じに視認されるように再現をするには、白い点線の第１の模様３´を輪郭領域のほぼ中心になるように輪郭領域を形成させると、図１７（ａ）が示す図柄「オスの円」を本発明でほぼ同じに視認されるように再現できる。しかし、それはその限りではない。
【００６０】
図１８は、従来の第２の模様４´と本発明の第２の模様４を比較した場合の図柄「メスの円」による構成図を示している。図１８（ａ）は、従来の第２の模様４´の図柄「メスの円」による構成図を示している。図１８（ａ）に示す第２の模様４´の図柄「メスの円」は、網点面積率Ｙが８０％相当で任意の距離Ｘを成す角度Ｋ２´（９０度）で形成されている。図１８（ｂ）は、本発明の第２の模様４の図柄「メスの円」による軟調の構成図を示している。
【００６１】
図１８（ｂ）に示す第２の模様４の図柄「メスの円」は、網点面積率Ｙが８０％相当で任意の距離Ｘを成す角度Ｋ７及び角度Ｋ８で形成され、第２の模様４は背景領域４Ｈｂと、第２の輪郭領域４Ｒｄ及び第２の輪郭領域４Ｒｅを有している。また、図柄「メスの円」の中心Ｔ２からの任意の距離Ｇ５を示す輪郭領域が開始する位置Ｓ５及び角度Ｋ７によって軟調であるか決定され、第２の輪郭領域４Ｒｄは、背景領域４Ｈｂから潜像領域３Ｚｂに向かって、濃度変化に対応して、濃度が徐々に低くなる。さらに、図柄「メスの円」の中心Ｔ２からの任意の距離Ｇ６を示す輪郭領域が開始する位置Ｓ６及び角度Ｋ８によって軟調であるか決定され、第２の輪郭領域４Ｒｅは、背景領域４Ｈｂから潜像領域３Ｚｂに向かって、濃度変化に対応して、濃度が徐々に低くなる。
【００６２】
しかし、図１８（ｂ）が示す第２の輪郭領域４Ｒｄ及び第２の輪郭領域４Ｒｅは、両方とも軟調を示しているが、一方が軟調でもう一方が硬調であっても構わない。図１８（ｂ）が示す交点Ｍ１は、第２の輪郭領域４Ｒｄと、図１７（ｂ）が示す第１の輪郭領域３Ｒｄとで刷り合わせたときの交点である。また、図１８（ｂ）が示す交点Ｍ２は、第２の輪郭領域４Ｒｅと、図１７（ｂ）が示す第１の輪郭領域３Ｒｅとで刷り合わせたときの交点である。この交点、交点Ｍ１及び交点Ｍ２が拡散反射光下において視認される。
【００６３】
図１８（ｃ）は、本発明の第２の模様４の図柄「メスの円」による硬調の構成図を示している。図１８（ｃ）に示す第２の模様４の図柄「メスの円」は、網点面積率Ｙが８０％相当で任意の距離Ｘを成す角度Ｋ９及び角度Ｋ１０で形成され、第２の模様４は背景領域４Ｈｃと、第２の輪郭領域４Ｒｆ及び第２の輪郭領域４Ｒｇを有している。また、図柄「メスの円」の中心Ｔ２からの任意の距離Ｇ７を示す輪郭領域が開始する位置Ｓ７及び角度Ｋ９によって硬調であるか決定され、第２の輪郭領域４Ｒｆは、背景領域４Ｈｃから潜像領域３Ｚｃに向かって、濃度変化に対応して、濃度が徐々に低くなる。さらに、図柄「メスの円」の中心Ｔ２からの任意の距離Ｇ８を示す輪郭領域が開始する位置Ｓ８及び角度Ｋ１０によって硬調であるか決定され、第２の輪郭領域４Ｒｇは、背景領域４Ｈｃから潜像領域３Ｚｃに向かって、濃度変化に対応して、濃度が徐々に低くなる。しかし、図１８（ｃ）が示す第２の輪郭領域４Ｒｆ及び第２の輪郭領域４Ｒｇは、両方とも硬調を示しているが、一方が硬調でもう一方が軟調であっても構わない。図１８（ｃ）が示す交点Ｍ１は、第２の輪郭領域４Ｒｆと、図１７（ｃ）が示す第１の輪郭領域３Ｒｆとで刷り合わせたときの交点である。また、図１８（ｃ）が示す交点Ｍ２は、第２の輪郭領域４Ｒｇと、図１７（ｃ）が示す第１の輪郭領域３Ｒｇとで刷り合わせたときの交点である。この交点、交点Ｍ１及び交点Ｍ２が拡散反射光下において視認される。
【００６４】
図１８（ｂ）及び（ｃ）が示す白い点線の第２の模様４´は、図１８（ａ）が示す第２の模様４´と同等で、図１８（ａ）が示す図柄「メスの円」を本発明でほぼ同じに視認されるように再現をするには、白い点線の第２の模様４´を輪郭領域のほぼ中心になるように輪郭領域を形成させると、図１８（ａ）が示す図柄「メスの円」を本発明でほぼ同じに視認されるように再現できる。しかし、それはその限りではない。
【００６５】
図１９は、図１７が示す第１の模様と、図１８が示す第２の模様を刷り合わせたときの構成図をグラフ化したものである。図１７（ａ）が示す第１の模様３´と、図１８（ａ）が示す第２の模様４´を刷り合わせたときの構成図をグラフ化したものが図１９（ａ）である。図１７（ｂ）が示す第１の模様３と、図１８（ｂ）が示す第２の模様４を刷り合わせたときの構成図をグラフ化したものが図１９（ｂ）である。図１７（ｃ）が示す第１の模様３と、図１８（ｃ）が示す第２の模様４を刷り合わせたときの構成図をグラフ化したものが図１９（ｃ）である。
【００６６】
図１９（ａ）は、従来の第１の模様３´の図柄「オスの円」と、従来の第２の模様４´の図柄「メスの円」を刷り合わせたときの構成図をグラフ化したものを示し、従来の第１の模様３´と、従来の第２の模様４´は、重複することなく形成されて成る。
【００６７】
図１９（ｂ）は、第１の模様３の図柄「オスの円」と、第２の模様４の図柄「メスの円」を刷り合わせたときの構成図をグラフ化したものを示し、図１７（ｂ）及び図１８（ｂ）が示すように第１の模様３は、潜像領域３Ｚｂと第１の輪郭領域３Ｒｄ及び第１の輪郭領域３Ｒｅを有し、第２の模様４は、背景領域４Ｈｂと第２の輪郭領域４Ｒｄ及び第２の輪郭領域４Ｒｅを有している。潜像領域３Ｚｂと背景領域４Ｈｂは、重複することなく形成されて成り、第１の輪郭領域３Ｒｄと第２の輪郭領域４Ｒｄは、同じ位置に配置されることで輪郭領域が形成されて成り、第１の輪郭領域３Ｒｅと第２の輪郭領域４Ｒｅは、同じ位置に配置されることで輪郭領域が形成されて成る。第１の輪郭領域３Ｒｄは、潜像領域３Ｚｂから背景領域４Ｈｂに向かって、濃度が徐々に低くなるように濃度変化して成り、第２の輪郭領域４Ｒｄは、背景領域４Ｈｂから潜像領域３Ｚｂに向かって、濃度変化に対応して、濃度が徐々に低くなり、第１の輪郭領域３Ｒｅは、潜像領域３Ｚｂから背景領域４Ｈｂに向かって、濃度が徐々に低くなるように濃度変化して成り、第２の輪郭領域４Ｒｅは、背景領域４Ｈｂから潜像領域３Ｚｂに向かって、濃度変化に対応して、濃度が徐々に低くなる。潜像領域３Ｚｂと、潜像領域３Ｚｂと隣り合う輪郭領域は、所定範囲内の濃度が等しく、背景領域４Ｈｂと、背景領域４Ｈｂと隣り合う輪郭領域は、所定範囲内の濃度が等しく、これは、図１９（ｂ）が示す交点Ｍ１及び交点Ｍ２を示している。
【００６８】
図１９（ｃ）は、第１の模様３の図柄「オスの円」と、第２の模様４の図柄「メスの円」を刷り合わせたときの構成図をグラフ化したものを示し、図１７（ｃ）及び図１８（ｃ）が示すように、第１の模様３は潜像領域３Ｚｃと第１の輪郭領域３Ｒｆ及び第１の輪郭領域３Ｒｇを有し、第２の模様４は背景領域４Ｈｃと第２の輪郭領域４Ｒｆ及び第２の輪郭領域４Ｒｇを有している。潜像領域３Ｚｃと背景領域４Ｈｃは、重複することなく形成されて成り、第１の輪郭領域３Ｒｆと第２の輪郭領域４Ｒｆは、同じ位置に配置されることで輪郭領域が形成されて成り、第１の輪郭領域３Ｒｇと第２の輪郭領域４Ｒｇは、同じ位置に配置されることで輪郭領域が形成されて成る。第１の輪郭領域３Ｒｆは、潜像領域３Ｚｃから背景領域４Ｈｃに向かって、濃度が徐々に低くなるように濃度変化して成り、第２の輪郭領域４Ｒｆは、背景領域４Ｈｃから潜像領域３Ｚｃに向かって、濃度変化に対応して、濃度が徐々に低くなり、第１の輪郭領域３Ｒｇは、潜像領域３Ｚｃから背景領域４Ｈｃに向かって、濃度が徐々に低くなるように濃度変化して成り、第２の輪郭領域４Ｒｇは、背景領域４Ｈｃから潜像領域３Ｚｃに向かって、濃度変化に対応して、濃度が徐々に低くなる。潜像領域３Ｚｃと、潜像領域３Ｚｃと隣り合う輪郭領域は、所定範囲内の濃度が等しく、背景領域４Ｈｃと、背景領域４Ｈｃと隣り合う輪郭領域は、所定範囲内の濃度が等しく、これは、図１９（ｃ）が示す交点Ｍ１及び交点Ｍ２を示している。
【００６９】
図２０は、図１９に示す刷り合せが合ったものを任意の距離Ｘ´右に刷り合せがずれたときをグラフ化したものである。
【００７０】
図２０（ａ）は、第２の模様４´が刷り合せずれにより任意の距離Ｘ´右に移動したとき、隙間５´ができ基材１´が視認されることを示し、また、第２の模様４´が刷り合せずれにより任意の距離Ｘ´右に移動したとき、重なり合い６´ができ階調画像２´の一部の濃度が高くなることを示す。
【００７１】
図２０（ｂ）は、輪郭領域が軟調を示し、第２の模様４が刷り合せずれにより任意の距離Ｘ´右に移動したとき、交点Ｍ１の濃度が交点Ｍ１´のように濃度が高くなる、また、交点Ｍ２の濃度が交点Ｍ２´のように濃度が低くなる。すなわち、交点Ｍの濃度の高低差はあるにしろ、従来のように隙間５´や重なり合い６´ができないため潜像画像は視認しづらくなる。さらに、軟調においては、交点Ｍの高低差は少なくなる。交点Ｍ１及び交点Ｍ２の濃度の高低については、後ほど詳細に説明をする。
【００７２】
図２０（ｃ）は、輪郭領域が硬調を示し、第２の模様４が刷り合せずれにより任意の距離Ｘ´右に移動したとき、交点Ｍ１の濃度が交点Ｍ１´のように濃度が高くなる、また、交点Ｍ２の濃度が交点Ｍ２´のように濃度が低くなる。すなわち、交点Ｍの濃度の高低差はあるにしろ、従来のように隙間５´や重なり合い６´ができないため潜像画像は視認しづらくなる。さらに、硬調においては、交点Ｍの高低差は大きくなる。交点Ｍ１及び交点Ｍ２の濃度の高低については、後ほど詳細に説明をする。
【００７３】
図２１は、図１９に示す刷り合せが合ったものを任意の距離Ｘ´´左に刷り合せがずれたときをグラフ化したものである。
【００７４】
図２１（ａ）は、第２の模様４´が刷り合せずれにより任意の距離Ｘ´´左に移動したとき、隙間５´ができ基材１´が視認されることを示し、また、第２の模様４´が刷り合せずれにより任意の距離Ｘ´´左に移動したとき、重なり合い６´ができ階調画像２´の一部の濃度が高くなることを示す。
【００７５】
図２１（ｂ）は、輪郭領域が軟調を示し、第２の模様４が刷り合せずれにより任意の距離Ｘ´´左に移動したとき、交点Ｍ１の濃度が交点Ｍ１´のように濃度が低くなる、また、交点Ｍ２の濃度が交点Ｍ２´のように濃度が高くなる。すなわち、交点Ｍの濃度の高低差はあるにしろ、従来のように隙間５´や重なり合い６´ができないため潜像画像は視認しづらくなる。さらに、軟調においては、交点Ｍの高低差は少なくなる。交点Ｍ１及び交点Ｍ２の濃度の高低については、後ほど詳細に説明をする。
【００７６】
図２１（ｃ）は、輪郭領域が硬調を示し、第２の模様４が刷り合せずれにより任意の距離Ｘ´´左に移動したとき、交点Ｍ１の濃度が交点Ｍ１´のように濃度が低くなる、また、交点Ｍ２の濃度が交点Ｍ２´のように濃度が高くなる。すなわち、交点Ｍの濃度の高低差はあるにしろ、従来のように隙間５´や重なり合い６´ができないため潜像画像は視認しづらくなる。さらに、硬調においては、交点Ｍの高低差は大きくなる。交点Ｍ１及び交点Ｍ２の濃度の高低については、後ほど詳細に説明をする。
【００７７】
図２２は、輪郭領域が開始する位置と、軟調及び硬調の違いにおける刷り合せずれによる交点Ｍの状況を示している。図２２（ａ）と図２２（ｂ）は、両方とも軟調を示し、網点面積率Ｙが７０％相当で任意の距離Ｘを成す角度Ｋ１１で形成されている。図２２（ａ）が示す輪郭領域が開始する位置Ｓ９及びＳ１０は、交点Ｍ３の位置を中心に任意の距離、左右対称に離れているが、図２２（ｂ）が示す輪郭領域が開始する位置Ｓ１１及びＳ１２は、交点Ｍ４の位置と同じである。
【００７８】
図２２（ａ）と図２２（ｂ）が図２２（ａ１）及び図２２（ｂ１）のように、刷り合せずれにより任意の距離Ｘ´右に移動したとき、交点Ｍ５と交点Ｍ７の濃度は、交点Ｍ３と交点Ｍ４よりも濃度が低くなり、この二つは同じ軟調で角度Ｋ１１も同じなので濃度が低くなる割合も同じである。
【００７９】
また、図２２（ａ）と図２２（ｂ）が図２２（ａ２）及び図２２（ｂ２）のように、刷り合せずれにより任意の距離Ｘ´´左に移動したとき、交点Ｍ６の濃度は、交点Ｍ３よりも濃度が高くなるが、交点Ｍ４の濃度は輪郭領域が開始する位置Ｓ１１及びＳ１２が同じ位置なので、重なり合い６ができ潜像画像が視認されてしまう。
【００８０】
すなわち、図２２（ａ）と図２２（ｂ）が示すように輪郭領域が同じ軟調で角度Ｋ１１も同じ場合でも、輪郭領域が開始する位置Ｓ９及びＳ１０のように離れている場合は、重なり合い６はできず潜像画像は視認されないが、輪郭領域が開始する位置Ｓ１１及びＳ１２のように同じ場合は、重なり合い６ができ潜像画像が視認されてしまう。しかし、輪郭領域が開始する位置Ｓ９及びＳ１０の場合でも、任意の距離Ｘ´´左に移動する距離によっては、重なり合い６ができ潜像画像が視認されてしまう場合もある。これは、印刷機による刷り合せずれ精度に合わせて輪郭領域が開始する位置を考慮しなければならない。これは、輪郭領域が硬調の場合でも同じことが言える。
【００８１】
図２３は、輪郭領域が開始する位置と、軟調及び硬調の違いにおける刷り合せずれによる交点Ｍの状況を示している。図２３（ａ）は硬調を示し、網点面積率Ｙが７０％相当で任意の距離Ｘを成す角度Ｋ１２で形成され、図２３（ｂ）は軟調を示し、網点面積率Ｙが７０％相当で任意の距離Ｘを成す角度Ｋ１３で形成されている。図２３（ａ）が示す輪郭領域が開始する位置Ｓ１３及びＳ１４は、交点Ｍ３の位置を中心に任意の距離、左右対称に図２２（ａ）に示す輪郭領域が開始する位置Ｓ９及びＳ１０よりも小さく離れている。また、図２３（ｂ）が示す輪郭領域が開始する位置Ｓ１３及びＳ１４は、交点Ｍ１１の位置を中心に任意の距離、左右対称に図２３（ａ）に示す輪郭領域が開始する位置Ｓ１３及びＳ１４と同じに離れている。
【００８２】
図２３（ａ）と図２３（ｂ）が図２３（ａ１）及び図２３（ｂ１）のように、刷り合せずれにより任意の距離Ｘ´右に移動したとき、交点Ｍ８と交点Ｍ１２の濃度は、交点Ｍ３と交点Ｍ１１よりも濃度が低くなるが、図２３（ａ１）は硬調のため、図２３（ｂ１）の軟調よりも濃度が低くなる割合が大きい。
【００８３】
また、図２３（ａ）と図２３（ｂ）が図２３（ａ２）及び図２３（ｂ２）のように、刷り合せずれにより任意の距離Ｘ´´、左に移動したとき、交点Ｍ４で輪郭領域が開始する位置Ｓ１３及びＳ１４の位置が同じになり網点面積率Ｙが７０％相当で等しくなる。硬調の場合は、軟調と比較すると濃度の高低差は大きくなるが、図２３（ｂ２）の場合は、偶然に輪郭領域が開始する位置と、角度Ｋが成す軟調の具合で濃度の高低の割合が同じになった。
【００８４】
すなわち、図２３（ａ）と図２３（ｂ）が示すように、輪郭領域が硬調と軟調の場合は、輪郭領域が硬調の方が軟調に比較すると濃度の高低の割合が大きくなる。また、図２３（ａ２）及び図２３（ｂ２）が示すように印刷機による刷り合せずれ精度を考慮し、輪郭領域が開始する位置と、角度Ｋが成す軟調及び硬調の具合を調整すれば、模様の基本濃度の網点面積率Ｙが等しくなるようにできる。
【００８５】
図２４は、輪郭領域が開始する位置と、軟調及び硬調の違いにおける刷り合せずれによる交点Ｍの状況を示している。図２４（ａ）は硬調を示し、網点面積率Ｙが７０％相当で任意の距離Ｘを成す角度Ｋ１２で形成され、図２４（ｂ）は、軟調を示し、網点面積率Ｙが７０％相当で任意の距離Ｘを成す角度Ｋ１３で形成されている。図２４（ａ）が示す輪郭領域が開始する位置Ｓ１５及びＳ１６は、交点Ｍ１３の位置を中心に任意の距離、左右対称に図２２（ａ）に示す輪郭領域が開始する位置Ｓ９及びＳ１０よりも大きく離れている。また、図２４（ｂ）が示す輪郭領域が開始する位置Ｓ１５及びＳ１６は、交点Ｍ３の位置を中心に任意の距離、左右対称に図２４（ａ）に示す輪郭領域が開始する位置Ｓ１５及びＳ１６と同じに離れている。
【００８６】
図２４（ａ）と図２４（ｂ）が図２４（ａ１）及び図２４（ｂ１）のように、刷り合せずれにより任意の距離Ｘ´右に移動したとき、交点Ｍ１４と交点Ｍ９の濃度は、交点Ｍ１３と交点Ｍ３よりも濃度が低くなるが、図２４（ａ１）は硬調のため、図２４（ｂ１）の軟調よりも濃度が低くなる割合が大きい。
【００８７】
また、図２４（ａ）と図２４（ｂ）が図２４（ａ２）及び図２４（ｂ２）のように、刷り合せずれにより任意の距離Ｘ´´左に移動したとき、交点Ｍ１５と交点Ｍ１０の濃度は、交点Ｍ１３と交点Ｍ３よりも濃度が高くなるが、図２４（ａ２）は硬調のため、図２４（ｂ２）の軟調よりも濃度が高くなる割合が大きい。すなわち、図２４（ａ）と図２４（ｂ）が示すように輪郭領域が硬調と軟調の場合は、輪郭領域が硬調の方が軟調に比較すると濃度の高低の割合が大きくなる。
【００８８】
また、図２４（ａ２）及び図２４（ｂ２）が示すように印刷機による刷り合せずれ精度を考慮し、輪郭領域が開始する位置と、角度Ｋが成す軟調及び硬調の具合を調整すれば、模様の基本濃度の網点面積率Ｙがほぼ等しくなるようにできる。さらに、網点面積率Ｙが等しくなるようにするには、図２４（ａ２）は、角度Ｋ１２が成す硬調を更に硬調にすれば網点面積率Ｙが等しくなるようにできるが、任意の距離Ｘ´右に移動したとき交点Ｍの濃度が更に低くなるため行わない方がよく、輪郭領域が開始する位置Ｓ１５及びＳ１６の距離を縮めることが望ましい。図２４（ｂ２）は、角度Ｋ１３が成す軟調を少し硬調寄りにすれば、網点面積率Ｙが等しくなるようにできる。
【００８９】
図２３と図２４の硬調が示すように、輪郭領域は硬調の方が軟調と比較すると濃度の高低の割合が大きくなり、硬調の特性が悪いように思われる。しかし、図１６でも説明したとおり、輪郭領域の軟調及び硬調は潜像画像の鮮明さを示し、特性が悪いとされる硬調は、潜像画像がはっきりとして鮮明なものに視認され、その反面、軟調は、潜像画像が少しぼんやりとして不鮮明なものに視認される。すなわち、潜像画像として視認させたいもの（文字や模様）によって、輪郭領域を軟調又は硬調の使い分けをするのであって、決して硬調の特性が悪いわけではない。また、印刷機による刷り合せずれ精度によって、輪郭領域の軟調又は硬調の使い分けもする。これについては、次に詳細に説明をする。
【００９０】
図２５は、図２２から図２４までに示した輪郭領域が開始する位置と、軟調及び硬調の違いにおける刷り合せずれによる交点Ｍの状況をまとめたものである。図２５（ａ）は、図２３（ａ）と同等、図２５（ｂ）は、図２３（ｂ）と同等、図２５（ｃ）は図２４（ａ）と同等、図２５（ｄ）は図２４（ｂ）と同等である。図２５（ａ）と図２５（ｂ）が示す図柄の中心Ｔ２からの任意の距離Ｇ１０から図柄の中心Ｔ１からの任意の距離Ｇ９を引いた間隔Ｊ１は、印刷機による刷り合せずれ精度がよい（ずれの距離が小さい）場合の輪郭領域が硬調及び軟調を示している。すなわち、図２５（ａ）が示す第１の輪郭領域３Ｒｈと第２の輪郭領域４Ｒｈが成す硬調は、潜像画像が文字等の場合のように、潜像画像をはっきりとして鮮明なものに視認させたい場合に使用する。
【００９１】
また、図２５（ｂ）が示す第１の輪郭領域３Ｒｉと第２の輪郭領域４Ｒｉが成す軟調は、潜像画像が模様等の場合のように、潜像画像が少しぼんやりとして不鮮明なものに視認されてよい場合に使用する。しかし、これは、視認させたい潜像画像によって異なり、この限りではない。もし、間隔Ｊ１よりもずれの距離が大きい、刷り合せずれ精度が悪い印刷機を使用した場合、図２２（ｂ２）が示すように重なり合い６ができ潜像画像が視認されてしまう。
【００９２】
図２５（ｃ）と図２５（ｄ）が示す図柄の中心Ｔ２からの任意の距離Ｇ１２から図柄の中心Ｔ１からの任意の距離Ｇ１１を引いた間隔Ｊ２は、印刷機による刷り合せずれ精度が悪い場合の輪郭領域の硬調及び軟調を示している。すなわち、図２５（ｃ）が示す第１の輪郭領域３Ｒｈと第２の輪郭領域４Ｒｈが成す硬調は、潜像画像が文字等の場合のように、潜像画像をはっきりとして鮮明なものに視認させたい場合に使用する。また、図２５（ｄ）が示す第１の輪郭領域３Ｒｉと第２の輪郭領域４Ｒｉが成す軟調は、潜像画像が模様等の場合のように、潜像画像が少しぼんやりとして不鮮明なものに視認されてもよい場合に使用する。しかし、これは、視認させたい潜像画像によって異なり、この限りではない。
【００９３】
さらに、間隔Ｊ１に比べて間隔Ｊ２は、間隔が広いため、交点Ｍ３の濃度に比べると交点Ｍ１３の濃度は、刷り合せが合っていても、かなり濃度が低くなってしまい、刷り合せずれにより任意の距離Ｘ´右に移動したときは、硬調の特性により更に濃度が低くなってしまうため、潜像画像がはっきりとして鮮明なものに視認されたとしても、図２５（ｃ）が示す硬調は、望ましくない。すなわち、印刷機による刷り合せずれ精度が悪い場合は、潜像画像が文字や模様であっても図２５（ｄ）が示す軟調を使用することが望ましい。これは、視認させたい潜像画像によって異なり、この限りではない。
【００９４】
（実施の形態２）
図２６は、本発明をより具体的な階調画像で示している。図２６（ａ）に示した真偽判別可能な印刷物は、基材１上の少なくとも一部に階調画像２を備え、階調画像２は、機能性を有するインキで形成された図２６（ｂ）に示す第１の模様３と、第１の模様３の周囲に配置され機能性を有さないインキで形成された図２６（ｃ）に示す第２の模様４を有し、第１の模様３と第２の模様４は、拡散反射光下において等色である。
【００９５】
階調画像２は、図２６（ｄ）の拡大図に示す特殊形状網点で形成された連続階調の「さくら入りの模様」であり、第１の模様３は、特殊形状網点で形成された連続階調の「さくら入りの模様」から「ＣＯＰＹ」の文字の形状で切り抜いた領域から成り、第２の模様４は、特殊形状網点で形成された連続階調の「さくら入りの模様」から「ＣＯＰＹ」の文字の形状を切り抜いた領域から成る。すなわち、第２の模様４の切り抜いた「ＣＯＰＹ」の文字は、第１の模様３の切り抜いた「ＣＯＰＹ」の文字を示し、第１の模様３と第２の模様４を刷り合わせると階調画像２の特殊形状網点で形成された連続階調の「さくら入りの模様」となる。
【００９６】
第１の模様３は潜像領域と第１の輪郭領域を有し、第２の模様４は背景領域と第２の輪郭領域を有し、潜像領域と背景領域は、重複することなく形成されて成る。また、第１の輪郭領域と第２の輪郭領域は、同じ位置に配置されることで輪郭領域が形成されて成り、第１の輪郭領域は、潜像領域から背景領域に向かって、濃度が徐々に低くなるように濃度変化して成り、第２の輪郭領域は、背景領域から潜像領域に向かって、濃度変化に対応して、濃度が徐々に低くなる。さらに、潜像領域と、潜像領域と隣り合う輪郭領域は、所定範囲内の濃度が等しく、かつ、背景領域と、背景領域と隣り合う輪郭領域は、所定範囲内の濃度が等しく、所定の条件で観察した場合に、第１の模様３が視認できる。また、階調画像２は、階調画像であれば、一般的なドット形状又は特殊形状網点のドット形状に限るものではない。
【００９７】
（実施の形態３）
図２７は、本発明をより具体的な階調画像で示している。図２７（ａ）に示した真偽判別可能な印刷物は、基材１上の少なくとも一部に階調画像２を備え、階調画像２は、機能性を有するインキで形成された図２７（ｂ）に示す第１の模様３と、第１の模様３の周囲に配置され機能性を有さないインキで形成された図２７（ｃ）に示す第２の模様４を有し、第１の模様３と第２の模様４は、拡散反射光下において等色である。
【００９８】
階調画像２は、図２７（ｄ）の拡大図が示す特殊形状網点で形成された連続階調の「さくら入りの模様」であり、第１の模様３は、特殊形状網点で形成された連続階調の「さくら入りの模様」から「ＣＯＰＹ」の文字の形状で切り抜いた領域から成り、第２の模様４は、特殊形状網点で形成された連続階調の「さくら入りの模様」から「ＣＯＰＹ」の文字の形状を切り抜いた領域から成る。すなわち、第２の模様４の切り抜いた「ＣＯＰＹ」の文字は、第１の模様３の切り抜いた「ＣＯＰＹ」の文字を示し、第１の模様３と第２の模様４を刷り合わせると階調画像２の特殊形状網点で形成された連続階調の「さくら入りの模様」となる。
【００９９】
第１の模様３は潜像領域と第１の輪郭領域を有し、第２の模様４は背景領域と第２の輪郭領域を有し、潜像領域と背景領域は、重複することなく形成されて成り、第１の輪郭領域と第２の輪郭領域は、同じ位置に配置されることで輪郭領域が形成されて成る。また、第１の輪郭領域は、潜像領域から背景領域に向かって、濃度が徐々に高くなるように濃度変化して成り、第２の輪郭領域は、背景領域から潜像領域に向かって、濃度変化に対応して、濃度が徐々に高くなる。さらに、潜像領域と、潜像領域と隣り合う輪郭領域は、所定範囲内の濃度が等しく、かつ、背景領域と、背景領域と隣り合う輪郭領域は、所定範囲内の濃度が等しく、所定の条件で観察した場合に、第１の模様３が視認できる。また、階調画像２は、階調画像であれば、一般的なドット形状又は特殊形状網点のドット形状に限るものではない。
【０１００】
（実施の形態４）
図２８は、従来の第１の模様３´と本発明の第１の模様３の硬調又は軟調をより具体的に示している。図２８（ａ）から（ｄ）までは、「ＣＯＰＹ」の文字の一部「Ｃ」の硬調から軟調までの階調画像を示している。図２８（ａ）は、従来の第１の模様３´を示し輪郭領域がない状態であり、硬調を示している。また、図２８（ｂ）から（ｄ）までは、本発明の第１の模様３を示し輪郭領域がありの状態で、硬調から軟調までを示している。図２８（ａ１）は、図２８（ａ）の拡大図であり、図２８（ｃ１）は、図２８（ｃ）の拡大図であり、この二つを比較すると従来の第１の模様３´の硬調と、本発明の第１の模様３の軟調の鮮明さの状態が分かりやすい。図２８（ｄ）が示すように第１の模様３が有する輪郭領域の軟調を強めると、文字として視認しづらくなるため、図２８（ｃ）が文字を文字として視認するにはよい形態である。また、印刷機による刷り合せずれ精度が悪い場合は、図２８（ｄ）を採用してもよいと思われる。
【０１０１】
図２９は、従来の第２の模様４´と本発明の第２の模様４の硬調又は軟調をより具体的に示している。図２９（ａ）から（ｄ）までは、「ＣＯＰＹ」の文字の一部「Ｃ」の硬調から軟調までの階調画像を示している。図２９（ａ）は、従来の第２の模様４´を示し輪郭領域がない状態であり、硬調を示している。また、図２９（ｂ）から（ｄ）までは、本発明の第２の模様４を示し輪郭領域がありの状態で、硬調から軟調までを示している。図２９（ａ１）は、図２９（ａ）の拡大図であり、図２９（ｃ１）は、図２９（ｃ）の拡大図であり、この二つを比較すると従来の第２の模様４´の硬調と、本発明の第２の模様４の軟調の鮮明さの状態が分かりやすい。図２９（ｄ）が示すように第２の模様４が有する輪郭領域の軟調を強めると、文字として視認しづらくなるので、図２９（ｃ）が文字を文字として視認するには、よい形態である。また、印刷機による刷り合せずれ精度が悪い場合は、図２９（ｄ）を採用してもよいと思われる。
【０１０２】
図３０は、輪郭領域の軟調及び硬調の組合せを示している。図３０（ａ）は、第１の模様３の輪郭領域が硬調を示し、第２の模様４の輪郭領域が硬調を示し、両方の輪郭領域の輪郭幅は等しい。図３０（ｂ）は、第１の模様３の輪郭領域が軟調を示し、第２の模様４の輪郭領域が軟調を示し、両方の輪郭領域の輪郭幅は等しい。また、図３０（ｃ）は、第１の模様３の輪郭領域が硬調を示し、第２の模様４の輪郭領域が軟調を示し、両方の輪郭領域の輪郭幅は異なる。図３０（ｄ）は、第１の模様３の輪郭領域が軟調を示し、第２の模様４の輪郭領域が硬調を示し、両方の輪郭領域の輪郭幅は異なる。すなわち、第１の模様３の輪郭領域の輪郭幅と、第２の模様４の輪郭領域の輪郭幅は、等しいことが好ましいが、異なっていても構わない。また、第１の模様３の輪郭領域の軟調及び硬調と、第２の模様４の輪郭領域の軟調及び硬調は、そろえた方が好ましいが、異なっても構わない。
【０１０３】
図３１は、階調画像の一例を示している。図３１（ａ）から（ｄ）までは、特殊形状網点の一例を示している。階調画像は、一般的なドット形状でも、特殊形状網点でも、階調画像であれば特に限定されるものではない。また、潜像画像も文字又は模様以外でも構わない。
【０１０４】
本発明の真偽判別印刷物に用いる機能性を有するインキは、以下のインキが挙げられる。機能性を有するインキは、可視反射光下では機能性を有さない通常の有色インキと等色であり、カラーコピー機で複写した場合に機能性を有さないインキと色彩が異なって視認されるメタメリックインキである。また、可視反射光下では機能性を有さない通常の有色インキと等色であり、可視透過光下で観察した場合に機能性を有さないインキと色彩が異なって視認される有色浸透インキである。また、可視反射光下では機能性を有さない通常の有色インキと等色であり、紫外線を照射した場合に発光して視認される蛍光発光インキである。また、可視反射光下では機能性を有さない通常の有色インキと等色であり、可視光下の所定の波長をカットするフィルタを通して観察した場合に機能性を有さないインキと色彩が異なって視認されるメタメリックインキである。また、可視反射光下では機能性を有さない赤外領域で透過する赤外線透過インキと等色であり、赤外領域で吸収する赤外線吸収インキである。
【０１０５】
本発明の真偽判別可能な印刷物の基材１は、上質紙、コート紙、アート紙等の紙葉類を用いることができる。また、フィルム、プラスチック及びそれらの複合素材等を用いることもできる。
【０１０６】
本発明の真偽判別可能な印刷物の印刷方法としては、オフセット印刷、グラビア印刷、凹版印刷、スクリーン印刷、フレキソ印刷、デジタル印刷、インクジェットプリンタ、レーザプリンタ等、特に限定されるものではないが、微細な特殊形状網点を印刷する場合、オフセット印刷、デジタル印刷、インクジェットプリンタ、レーザプリンタが好ましい。
【符号の説明】
【０１０７】
１、１´  基材
２、２´  階調画像
３、３´、３´´  第１の模様
３ａ  第１の要素
３Ｒａ、３Ｒｂ、３Ｒｃ、３Ｒｄ、３Ｒｅ、３Ｒｆ、３Ｒｇ、３Ｒｈ、３Ｒｉ  第１の輪郭領域
３Ｚａ、３Ｚｂ、３Ｚｃ  潜像領域
４、４´  第２の模様
４ａ  第２の要素
４Ｒａ、４Ｒｂ、４Ｒｃ、４Ｒｄ、４Ｒｅ、４Ｒｆ、４Ｒｇ、４Ｒｈ、４Ｒｉ  第２の輪郭領域
４Ｈａ、４Ｈｂ、４Ｈｃ  背景領域
５´  隙間
６´  重なり合い
７、７´  可視反射光
８、８´  視点
９、９´  視認用機器等
１０、１１  １つの階調
１２、１３  連続階調
Ｇ１、Ｇ２、Ｇ３、Ｇ４、Ｇ５、Ｇ６、Ｇ７、Ｇ８、Ｇ９、Ｇ１０、Ｇ１１、Ｇ１２  Ｔからの任意の距離
Ｊ１、Ｊ２  間隔
Ｋ１、Ｋ１´、Ｋ２、Ｋ２´、Ｋ３、Ｋ４、Ｋ５、Ｋ６、Ｋ７、Ｋ８、Ｋ９、Ｋ１０、Ｋ                            １１、Ｋ１２、Ｋ１３  角度
Ｍ１、Ｍ１´、Ｍ２、Ｍ２´、Ｍ３、Ｍ４、Ｍ５、Ｍ６、Ｍ７、Ｍ８、Ｍ９、Ｍ１０、Ｍ  １１、Ｍ１２、Ｍ１３、Ｍ１４、Ｍ１５  交点
Ｓ１、Ｓ２、Ｓ３、Ｓ４、Ｓ５、Ｓ６、Ｓ７、Ｓ８、Ｓ９、Ｓ１０、Ｓ１１、Ｓ１２、Ｓ１３、Ｓ１４、Ｓ１５、Ｓ１６  輪郭領域が開始する位置
Ｔ１、Ｔ２  中心
Ｘ、Ｘ´、Ｘ´´、Ｘ´´´  任意の距離
Ｙ  網点面積率
【図１】
2019084691.tif 000003
【図２】
2019084691.tif 000004
【図３】
2019084691.tif 000005
【図４】
2019084691.tif 000006
【図５】
2019084691.tif 000007
【図６】
2019084691.tif 000008
【図７】
2019084691.tif 000009
【図８】
2019084691.tif 000010
【図９】
2019084691.tif 000011
【図１０】
2019084691.tif 000012
【図１１】
2019084691.tif 000013
【図１２】
2019084691.tif 000014
【図１３】
2019084691.tif 000015
【図１４】
2019084691.tif 000016
【図１５】
2019084691.tif 000017
【図１６】
2019084691.tif 000018
【図１７】
2019084691.tif 000019
【図１８】
2019084691.tif 000020
【図１９】
2019084691.tif 000021
【図２０】
2019084691.tif 000022
【図２１】
2019084691.tif 000023
【図２２】
2019084691.tif 000024
【図２３】
2019084691.tif 000025
【図２４】
2019084691.tif 000026
【図２５】
2019084691.tif 000027
【図２６】
2019084691.tif 000028
【図２７】
2019084691.tif 000029
【図２８】
2019084691.tif 000030
【図２９】
2019084691.tif 000031
【図３０】
2019084691.tif 000032
【図３１】
2019084691.tif 000033